【手続補正書】
【提出日】平成17年3月28日(2005.3.28)
【手続補正１】
【補正対象書類名】明細書
【補正対象項目名】特許請求の範囲
【補正方法】変更
【補正の内容】
【特許請求の範囲】
【請求項１】
画像が形成された複数枚のシートを一端縁を基準にして整合し、これらの整合されたシートの一端縁又は中央部を夫々端綴じ又は中綴じするシート後処理装置において、
前記画像が形成さた複数枚のシートをその先後端を上下方向に向けた状態で一端縁を基準に整合する端綴じ又は中綴じのための整合トレー部と、
前記整合トレー部の下端側に配置され、当該整合トレー部上に配置された複数枚のシートの一端縁を綴じる端綴じ用ステープル手段と、
前記整合トレー部の前記端綴じ用ステープル手段より上方に配置され、整合された複数枚のシートの中央部を綴じる中綴じ用のステープル手段と、
を具備することを特徴とするシート後処理装置。
【請求項２】
前記整合トレー部の複数枚のシートを、その中央部が中綴じ用のステープル手段に位置するように、シートの束を移動させるシート移動手段と、
前記中綴じ用のステープル手段によって綴じられたシートの束を折り曲げる中折り手段と、を具備することを特徴とする請求項第１項記載のシート後処理装置。
【請求項３】
前記端綴じ用のステープル手段によって綴じられたシートの束を装置の一側の第１の積載トレイに排出する第１の排出手段と、
前記中折り手段とによって折り曲げられたシートの束を装置の一側であって、前記第１の排出手段下方の第２の積載トレイに排出する第２の排出手段とを具備することを特徴とする請求項第１項に記載のシート後処理装置。
【請求項４】
前記端綴じ用のステープル手段は、画像形成部から搬送されるシートに対して、画像形成部からシート搬送方向に見て該シートの後端を綴じることを特徴とする請求項第１項に記載のシート後処理装置。
【請求項５】
前記中綴じ用のステープル手段と中折り手段とからなる中綴じ処理部を一体的にユニット化し、この中綴じ処理ユニットを装置本体に対して、着脱自在に取り付けたことを特徴とする請求項第２項記載のシート後処理装置。
【請求項６】
前記端綴じ用のステープル手段を、シートの一端縁に沿って移動可能とする移動機構を備えたことを特徴とする請求項第１項乃至第４項のいずれかに記載のシート後処理装置。
【手続補正２】
【補正対象書類名】明細書
【補正対象項目名】００１８
【補正方法】変更
【補正の内容】
【００１８】
【課題を解決するための手段】  上記の課題を解決するために、請求項１に記載の発明は、画像が形成された複数枚のシートを一端縁を基準にして整合し、これらの整合されたシートの一端縁又は中央部を夫々端綴じ又は中綴じするシート後処理装置において、
前記画像が形成された複数枚のシートをその先後端を上下方向に向けた状態で一端縁を基準に整合する端綴じ又は中綴じのための整合トレー部と、
前記整合トレー部の下端側に配置され、当該整合トレー部上に配置された複数枚のシートの一端縁を綴じる端綴じ用ステープル手段と、
前記整合トレー部の前記端綴じ用ステープル手段より上方に配置され、整合された複数枚のシートの中央部を綴じる中綴じ用のステープル手段と、
を具備するように構成したものである。
【手続補正３】
【補正対象書類名】明細書
【補正対象項目名】００１９
【補正方法】変更
【補正の内容】
【００１９】
また、請求項２に記載の発明は、前記整合トレー部の複数枚のシートを、その中央部が中綴じ用のステープル手段に位置するように、シートの束を移動させるシート移動手段と、
前記中綴じ用のステープル手段によって綴じられたシートの束を折り曲げる中折り手段と、を具備することを特徴とする請求項第１項記載のシート後処理装置である。
【手続補正４】
【補正対象書類名】明細書
【補正対象項目名】００２０
【補正方法】変更
【補正の内容】
【００２０】
さらに、請求項５に記載の発明は、前記中綴じ用のステープル手段と中折り手段とからなる中綴じ処理部を一体的にユニット化し、この中綴じ処理ユニットを装置本体に対して、着脱自在に取り付けたことを特徴とする請求項第２項記載のシート後処理装置である。
【手続補正５】
【補正対象書類名】明細書
【補正対象項目名】００２１
【補正方法】変更
【補正の内容】
【００２１】
また更に、請求項３に記載の発明は、前記端綴じ用のステープル手段によって綴じられたシートの束を装置の一側の第１の積載トレイに排出する第１の排出手段と、前記中折り手段とによって折り曲げられたシートの束を装置の一側であって、前記第１の排出手段下方の第２の積載トレイに排出する第２の排出手段とを具備することを特徴とする請求項第１項に記載のシート後処理装置である。
又、請求項４に記載の発明は、前記端綴じ用のステープル手段は、画像形成部から搬送されるシートに対して、画像形成部からシート搬送方向に見て該シートの後端を綴じることを特徴とする請求項第１項に記載のシート後処理装置である。
【手続補正６】
【補正対象書類名】明細書
【補正対象項目名】００２２
【補正方法】変更
【補正の内容】
【００２２】
更に、請求項６に記載の発明は、前記端綴じ用のステープル手段を、シートの一端縁に沿って移動可能とする移動機構を備えたことを特徴とする請求項第１項乃至第４項のいずれかに記載のシート後処理装置である。
【手続補正７】
【補正対象書類名】明細書
【補正対象項目名】００２３
【補正方法】変更
【補正の内容】
【００２３】
【作用】  上記請求項１に記載の発明によれば、前記画像が形成された複数枚のシートをその先後端を上下方向に向けた状態で一端縁を基準に整合する端綴じ又は中綴じのための整合トレー部と、前記整合トレー部の下端側に配置され、当該整合トレー部上に配置された複数枚のシートの一端縁を綴じる端綴じ用ステープル手段と、前記整合トレー部の前記端綴じ用ステープル手段より上方に配置され、整合された複数枚のシートの中央部を綴じる中綴じ用のステープル手段と、を具備するように構成したので、端綴じ用のステープル手段と中綴じ用のステープル手段とを別個に備え、端綴じ以外にも中綴じが可能なことは勿論のこと、端綴じ用のステープル手段と中綴じ用のステープル手段とを、各ステープル手段に要求される機能に応じて別個に設計すればよく、１つのステープル手段を端綴じ用と中綴じ用とに使用する場合のように、シートの移動手段やステープル手段の移動手段が複雑となり、装置の大型化や複雑化を招くことがなく、しかも低コスト化が可能となる。
また、本発明によれば、端綴じ及び中綴じのための整合トレー部の下端部側に端綴じ専用のステープラを、整合トレー部の前記端綴じ用ステープル手段より上方に中綴じ用のステープル手段を配置したので、整合トレー部にシートを整合した状態からシートを大きく移動させることなく端綴じ及び中綴じすることができ、整合トレー部を短く、ひいては、装置高さを低くすることができる効果を有する。
【手続補正８】
【補正対象書類名】明細書
【補正対象項目名】００２４
【補正方法】変更
【補正の内容】
【００２４】
また、上記請求項２に記載の発明によれば、前記整合トレー部の複数枚のシートを、その中央部が中綴じ用のステープル手段に位置するように、シートの束を移動させるシート移動手段と、前記中綴じ用のステープル手段によって綴じられたシートの束を折り曲げる中折り手段と、を具備するように構成されているので、シートに対して中綴じを行った際に、中綴じされたシートを、中折り手段によって自動的に、しかも精度良く２つに折ることが可能となる。
【手続補正９】
【補正対象書類名】明細書
【補正対象項目名】００２５
【補正方法】変更
【補正の内容】
【００２５】
さらに、上記請求項５に記載の発明によれば、前記中綴じ用のステープル手段と中折り手段とからなる中綴じ処理部を一体的にユニット化し、この中綴じ処理ユニットを装置本体に対して、着脱自在に取り付けるように構成されているので、端綴じ以外にも中綴じが可能なことは勿論のこと、端綴じのみで良いというユーザーに対しては、中綴じ処理ユニットを装置本体から取り外すことによって、容易に対応することが可能となる。
【手続補正１０】
【補正対象書類名】明細書
【補正対象項目名】００２６
【補正方法】変更
【補正の内容】
【００２６】
また更に、上記請求項３に記載の発明によれば、前記端綴じ用のステープル手段によって綴じられたシートの束を装置の一側の第１の積載トレイに排出する第１の排出手段と、前記中折り手段とによって折り曲げられたシートの束を装置の一側であって、前記第１の排出手段下方の第２の積載トレイに排出する第２の排出手段とを具備するように構成されているので、端綴じを行ったシートと中綴じを行ったシートとを異なったシート収容手段に排出することにより、後処理後のシートの操作性をも向上させることが可能となる。
【手続補正１１】
【補正対象書類名】明細書
【補正対象項目名】００９２
【補正方法】変更
【補正の内容】
【００９２】
【発明の効果】  以上説明したように、請求項１に記載の発明によれば、前記画像が形成された複数枚のシートをその先後端を上下方向に向けた状態で一端縁を基準に整合する端綴じ又は中綴じのための整合トレー部と、前記整合トレー部の下端側に配置され、当該整合トレー部上に配置された複数枚のシートの一端縁を綴じる端綴じ用ステープル手段と、前記整合トレー部の前記端綴じ用ステープル手段より上方に配置され、整合された複数枚のシートの中央部を綴じる中綴じ用のステープル手段と、を具備するように構成したので、端綴じ用のステープル手段と中綴じ用のステープル手段とを別個に備え、端綴じ以外にも中綴じが可能なことは勿論のこと、端綴じ用のステープル手段と中綴じ用のステープル手段とを、各ステープル手段に要求される機能に応じて別個に設計すればよく、１つのステープル手段を端綴じ用と中綴じ用とに使用する場合のように、シートの移動手段やステープル手段の移動手段が複雑となり、装置の大型化や複雑化を招くことがなく、しかも低コスト化が可能となる。
また、本発明によれば、端綴じ及び中綴じのための整合トレー部の下端部側に端綴じ専用のステープラを、整合トレー部の前記端綴じ用ステープル手段より上方に中綴じ用のステープル手段を配置したので、整合トレー部にシートを整合した状態からシートを大きく移動させることなく端綴じ及び中綴じすることができ、整合トレー部を短く、ひいては、装置高さを低くすることができる効果を有する。
【手続補正１２】
【補正対象書類名】明細書
【補正対象項目名】００９３
【補正方法】変更
【補正の内容】
【００９３】
また、上記請求項２に記載の発明によれば、前記整合トレー部の複数枚のシートを、その中央部が中綴じ用のステープル手段に位置するように、シートの束を移動させるシート移動手段と、前記中綴じ用のステープル手段によって綴じられたシートの束を折り曲げる中折り手段と、を具備するように構成されているので、シートに対して中綴じを行った際に、中綴じされたシートを、中折り手段によって自動的に、しかも精度良く２つに折ることが可能となる。
【手続補正１３】
【補正対象書類名】明細書
【補正対象項目名】００９４
【補正方法】変更
【補正の内容】
【００９４】
さらに、上記請求項５に記載の発明によれば、前記中綴じ用のステープル手段と中折り手段とからなる中綴じ処理部を一体的にユニット化し、この中綴じ処理ユニットを装置本体に対して、着脱自在に取り付けるように構成されているので、端綴じ以外にも中綴じが可能なことは勿論のこと、端綴じのみで良いというユーザーに対しては、中綴じ処理ユニットを装置本体から取り外すことによって、容易に対応することが可能となる。
【手続補正１４】
【補正対象書類名】明細書
【補正対象項目名】００９５
【補正方法】変更
【補正の内容】
【００９５】
また更に、上記請求項３に記載の発明によれば、前記端綴じ用のステープル手段によって綴じられたシートの束を装置の一側の第１の積載トレイに排出する第１の排出手段と、前記中折り手段とによって折り曲げられたシートの束を装置の一側であって、前記第１の排出手段下方の第２の積載トレイに排出する第２の排出手段とを具備するように構成されているので、端綴じを行ったシートと中綴じを行ったシートとを異なったシート収容手段に排出することにより、後処理後のシートの操作性をも向上させることが可能となる。